(57)【要約】    【課題】  十分な光量を確保しつつ、原稿が平面でない場合に正反射した光束が光電変換素子面上で結像しないようにすることができる画像読取装置を得ること。    【解決手段】  原稿を照明する照明手段と原稿の画像情報を結像させる結像光学系と主走査方向に複数の画素を配列した読取手段とを有し、照明手段は主走査方向に配列された複数の発光部と複数の発光部から出射した光束を原稿台に導光する導光体を有し、導光体は複数の発光部から出射した光束が入射する入射面と光束が出射する出射面と複数の発光部から出射した各々の光束であって入射面から入射した光束の一部が直接出射面から出射しないように遮光する、複数の発光部毎に設けた遮光部とを有し、各々の遮光部はそれぞれ対応する発光部から出射し導光体の入射面から入射し出射面から直接出射した光束が結像光学系の入射瞳に入射しないように遮光する形状よりなること。【選択図】    図３
2010177863.tif 000002
【特許請求の範囲】
【請求項１】
原稿台に載置した原稿を照明する照明手段と、原稿の画像情報を結像させる結像光学系と、前記結像光学系の結像位置であって、主走査方向に複数の画素を配列した読取手段とを有する画像読取装置において、
前記照明手段は、主走査方向に配列された複数の発光部と、前記複数の発光部から出射した光束を前記原稿台に導光する導光体を有し、
前記導光体は、前記複数の発光部から出射した光束が入射する入射面と、光束が出射する出射面と、前記複数の発光部から出射した各々の光束であって前記入射面から入射した光束の一部が出射面から直接出射しないように遮光する、前記複数の発光部毎に設けた遮光部とを有し、
前記各々の遮光部は、それぞれ対応する発光部から出射し、前記導光体の入射面から入射し、出射面から直接出射した光束が前記結像光学系の入射瞳に入射しないように遮光する形状よりなることを特徴とする画像読取装置。
【請求項２】
前記複数の遮光部は、それぞれ前記導光体内に設けた空隙部であることを特徴とする請求項１に記載の画像読取装置。
【請求項３】
前記複数の遮光部は、それぞれ前記導光体内に設けたミラーであることを特徴とする請求項１に記載の画像読取装置。
【請求項４】
前記複数の遮光部は、前記複数の発光部に対し、それぞれ位置、角度のうち、少なくとも１つが異なるように配置されることを特徴とする請求項２又は３に記載の画像読取装置。
【請求項５】
光軸上から数えて第i番目の発光部の面法線方向と、該第i番目の発光部から前記結像光学系の入射瞳に向かう光束のうち、該第i番目の発光部から遠い方と近い方の光束とのなす角度を各々θＬi、θｕiとするとき（ｉは整数）、該第i番目の発光部に対応する前記遮光部は、
θｕi＜θi＜θＬi      
なる条件を満足する角度θiの光束を遮光することを特徴とする請求項１乃至４のいずれか１項に記載の画像読取装置。
ここで、角度θＬi、θｕiは、
主走査断面内における前記発光部から前記原稿台までの光路長をＬ１、
前記原稿台から前記結像光学系の入射瞳位置までの光路長をＬ２、
前記結像光学系の入射瞳径をφｅｎ、
主走査断面内において第i番目の発光部までの光軸からの長さをｈｉとするとき（ｉは整数）、
ｔａｎθＬi＝（（ｈｉ＋φｅｎ／２）／（Ｌ１＋Ｌ２））
ｔａｎθｕi＝（（ｈｉ−φｅｎ／２）／（Ｌ１＋Ｌ２））
である。
【発明の詳細な説明】
【技術分野】
【０００１】
本発明は画像読取装置に関する。特に、イメージスキャナー、複写機、ファクシミリなど、原稿面を照明して線順次方式で画像読取を行う機器に好適なものである。
【背景技術】
【０００２】
一般に、イメージスキャナー、複写機、ファクシミリなど、原稿面を照明して線順次方式で画像読取を行う画像読取装置に用いられる照明装置（光源手段）は、蛍光灯などの管状（線状）光源を用いて原稿面を照明する。
【０００３】
管状光源としては、冷陰極蛍光管やキセノン管などが主に用いられている。キセノン管は光量の安定性が良いため、業務用機器として多用されているが、製作が難しい。そのため、特に家庭用機器としては、製作が容易な冷陰極管が多用されている。
【０００４】
また、昨今の技術開発の結果、発光ダイオード（Light Emittiｎg Diode：以下、「ＬＥＤ」と称す）の発光効率が向上し、ＬＥＤを光源手段とする技術が開示されている。
【０００５】
図８は光源手段としてＬＥＤを用いた従来のキャリッジ方式の画像読取装置の要部断面図である。
【０００６】
同図において、光源手段（ＬＥＤ）８０１から射出された照明光は導光体８００を通り原稿台ガラス８０２上に置かれた原稿(原稿面）８０３を照明する。原稿面８０３で反射した画像情報を有した反射光束は複数の反射ミラー８０４を介してキャリッジ８０７内部でその光束の光路が折り曲げられている。そして光路が折り曲げられた光束を結像光学系８０５により１次元光電変換素子（ＣＣＤ）８０６面上に結像させている。そしてキャリッジ８０７をモータ８０８等の駆動装置により図８に示す矢印方向（副走査方向）に移動させて原稿８０３の画像を線順次読取方式で読み取っている。
【０００７】
光源手段として複数のＬＥＤ(点光源）を主走査方向にアレイ状に配置した構成の場合、各ＬＥＤから出射された光束（光線）を原稿面に直接照明すると、主走査方向において照度ムラが生じ、読み取った画像に濃度ムラが発生する。
【０００８】
この照度ムラの発生を抑制した画像読取装置が従来より種々と提案されている（特許文献１、２参照）。
【０００９】
特許文献１における画像読取装置は、長尺状の透明部材に空腔部を設け、この空腔部近傍に配置されたＬＥＤからの光束を長尺方向に反射させ、透明部材に設けられた乱反射面で拡散させることでＬＥＤの数を減らしつつ、照度ムラを少なくしている。
【００１０】
特許文献２における画像読取装置は、複数の点光源を直線状に配列した光源からの光束と、この光束のうち被対象物で正反射した光束をリフレクターで再度、被対象物に照明することによって、照度分布を均一化している。
【特許文献１】特開平１０−１０７９５９号公報
【特許文献２】特開２００６−２４５９５５号公報
【発明の開示】
【発明が解決しようとする課題】
【００１１】
特許文献１では、光源の数が少ないため、光量が少なく、さらに主走査方向に偏向した光束を乱反射面で反射するため光量の損失も多く十分な光量を確保するのが困難である。
【００１２】
さらに乱反射面により光が拡散されている。このため、拡散光の一部は原稿がカールした状態の場合やCD-ROMのような僅かな立体物の場合は原稿で正反射した光束が結像光学系を通って光電変換素子に結像し、正反射した部分の情報が読み取れなくなってしまうことがある。
【００１３】
更に例えば本の綴じ部を原稿台ガラスに突き当てると平面ではなく湾曲した形となり、正反射光が発生し、上述と同様に正反射した部分の情報が読み取れなくなってしまうことがある。
【００１４】
特許文献２では、ＬＥＤをアレイ状に配置することで光量は十分確保できる。
【００１５】
しかしながら、正反射光を反射するように光源とリフレクターを置き、角度を主走査方向に偏向して再入射させているため、上述のように原稿が平面でない場合に正反射光が光電変換素子に結像し、正反射した部分の情報が読み取れなくなってしまう。
【００１６】
本発明は十分な光量を確保しつつ、原稿が平面でない場合であっても原稿で正反射した光束が光電変換素子面上で結像しないようにすることができる画像読取装置の提供を目的とする。
【課題を解決するための手段】
【００１７】
本発明の画像読取装置は、
原稿台に載置した原稿を照明する照明手段と、原稿の画像情報を結像させる結像光学系と、前記結像光学系の結像位置であって、主走査方向に複数の画素を配列した読取手段とを有する画像読取装置において、
前記照明手段は、主走査方向に配列された複数の発光部と、前記複数の発光部から出射した光束を前記原稿台に導光する導光体を有し、
前記導光体は、前記複数の発光部から出射した光束が入射する入射面と、光束が出射する出射面と、前記複数の発光部から出射した各々の光束であって前記入射面から入射した光束の一部が出射面から直接出射しないように遮光する、前記複数の発光部毎に設けた遮光部とを有し、
前記各々の遮光部は、それぞれ対応する発光部から出射し、前記導光体の入射面から入射し、出射面から直接出射した光束が前記結像光学系の入射瞳に入射しないように遮光する形状よりなることを特徴としている。
【発明の効果】
【００１８】
本発明によれば十分な光量を確保しつつ、原稿が平面でない場合であっても原稿で正反射した光束が光電変換素子面上で結像しないようにすることができる画像読取装置を達成することができる。
【発明を実施するための最良の形態】
【００１９】
本発明の画像読取装置は、原稿台に載置した原稿を照明する照明手段と、原稿の画像情報を結像させる結像光学系と、結像光学系の結像位置であって、主走査方向に複数の画素を配列した読取手段とを有している。
【００２０】
照明手段は、主走査方向に配列された複数の発光部と、複数の発光部から出射した光束を原稿台に導光する導光体を有している。
【００２１】
導光体は、複数の発光部から出射した光束が入射する入射面と、光束が出射する出射面と、複数の発光部から出射した各々の光束であって入射面から入射した光束の一部が出射面から直接出射しないように遮光する複数の発光部毎に設けた遮光部とを有している。
【００２２】
各々の遮光部は、それぞれ対応する発光部から出射し、導光体の入射面から入射し、出射面から直接出射した光束が結像光学系の入射瞳に入射しないように遮光する形状よりなっている。
【００２３】
各実施例の説明に入る前に、本発明の構成及び各実施例の共通事項について図１〜図３を用いて説明する。
【００２４】
図１は本発明の実施例に関わる導光体を主走査方向から見た要部断面図（主走査断面図）である。図２は従来の画像読取装置の問題点を示す要部断面図である。図３は図１を副走査方向に展開し、主走査方向から見た要部断面図（主走査断面図）である。
【００２５】
尚、以下の説明において、光電変換素子で画像を読み取る方向を主走査方向（Ｘ方向）、結像光学系の光軸と主走査方向を含む面を主走査断面、主走査方向に直交し、画像を読み取る方向を副走査方向（Ｙ方向）、主走査断面と直交する断面を副走査断面とする。
【００２６】
図中、ＬＢは照明手段であり、後述する原稿台１０４に載置した原稿（原稿面）１０５を照明している。照明手段ＬＢは、主走査方向に所定間隔で配列された複数の発光部（ＬＥＤ）１０１ａを有する光源手段（以下、「ＬＥＤアレイ」と称す。）１０１と、複数の発光部１０１ａから出射した光束を原稿台１０４に導光する導光体１００とを有している。
【００２７】
導光体１００は、ＬＥＤアレイ１０１と原稿１０４との間に配置され、複数の発光部１０１ａから出射した光束が入射する入射面１０２ａと、光束が出射する出射面１０２ｂとを有している。さらに導光体１００は、複数の発光部１０１ａから出射した各々の光束であって入射面１０２ａから入射した光束の一部が出射面１０２ｂから直接出射しないように遮光する複数の発光部毎に設けた遮光部１０３ａとを有している。
【００２８】
各々の遮光部１０３ａは、主走査方向に所定間隔で配列され、それぞれ対応する発光部１０１ａから出射し、導光体１００の入射面１０２ａから入射し、出射面１０２ｂから直接出射した光束が結像光学系１０７の入射瞳１０８に入射しないように遮光している。
【００２９】
尚、各々の遮光部１０３ａは、遮光手段１０３の一要素を構成している。
【００３０】
また、本実施例における光源手段としてのＬＥＤアレイ１０１は導光体１００の入射面１０２ａ近傍に配置されている。
【００３１】
１０４は原稿台（原稿台ガラス）であり、その面上に原稿(原稿面）１０５が置かれている。１０６は反射ミラーであり、原稿１０５で反射した光束の光路を折り曲げている。１０７は結像光学系(結像レンズ）であり、原稿１０５からの光束を１次元光電変換素子（ＣＣＤ（Charge Coupled Device））１０９に結像させている。１０８は結像光学系１０７の入射瞳である。１０９は読取手段（ＣＣＤ）であり、結像光学系１０８の結像位置であって、主走査方向に複数の画素を配列した構成になっている。
【００３２】
図２で示すように原稿１０５が点線で示すような平面であれば、該原稿１０５で反射された正反射光は点線の矢印Ｂの方向に向かい結像光学系１０７の入射瞳１０８には向かわず問題はない。
【００３３】
しかしながら原稿１０５が実線のようにカールした原稿面の場合、正反射光はちょうど平面原稿時の拡散光の反射光が通過する光路を通って結像光学系１０７の入射瞳１０８に入射してしまい、ＬＥＤアレイ１０１の像が光電変換素子１０９上に結像してしまう。
【００３４】
この状態を副走査方向に展開し、主走査方向からみた場合、図３に示すような関係となり、展開した時にＬＥＤアレイ１０１から入射瞳１０８に向かう光束が正反射光になる。
【００３５】
図３において、遮光手段１０３がない場合に正反射光は点線で示すような光路で、結像光学系１０７の入射瞳１０８に入射する。
【００３６】
また遮光手段１０３で遮光されない光束は出射面１０２ｂから出射し、原稿台ガラス１０４を通して原稿１０５を照射する。そして原稿１０５を照射した光束は該原稿面１０５で拡散反射し、再度原稿台ガラス１０４を通り、反射ミラー１０６で反射し、結像光学系１０７の入射瞳１０８に入射する。
【００３７】
ここで結像光学系１０７の入射瞳１０８に入射する光束の角度範囲は、例えば光軸上（Ｌａ）から数えて第ｉ番目の発光部１０１ａから入射瞳１０８に向かう光束のうち、該第ｉ番目の発光部１０１ａから遠い方と近い方の２本の光束で挟まれた角度となる。よって、この角度範囲の光束を第ｉ番目の発光部１０１ａに対応する遮光部１０３ａで遮光すれば、その第ｉ番目の発光部１０１ａの正反射光を取り除くことができる。
【００３８】
そこで、光軸上（Ｌａ）から数えて第i番目の発光部の面法線方向（Ｓ方向）と、第i番目の発光部から結像光学系１０７の入射瞳１０８に向かう光束のうち、第i番目の発光部から遠い方と近い方の光束とのなす角度を各々θＬi、θｕiとする（ｉは整数）。そのとき第i番目の発光部に対応する遮光部１０３ａは、
θｕi＜θi＜θＬi        ‥‥(1)
なる条件を満足する角度θiの光束を遮光する。
【００３９】
尚、以下の説明において、第i番目の発光部１０１ａから遠い方の光束を「下側光束Ｌ」と称し、また近い方の光束を「上側光束ｕ」と称す。
【００４０】
ここで、角度θＬi、θｕiは、主走査断面内における、発光部１０１ａから原稿台１０４までの光路長をＬ１、原稿台１０４から結像光学系１０７の入射瞳位置までの光路長をＬ２、結像光学系１０７の入射瞳径をφｅｎとする。さらに主走査断面内において第i番目の発光部１０１ａまでの光軸Ｌａからの長さをｈｉとする（ｉは整数）。そのとき、
ｔａｎθＬi＝（（ｈｉ＋φｅｎ／２）／（Ｌ１＋Ｌ２））    ‥‥(2)
ｔａｎθｕi＝（（ｈｉ−φｅｎ／２）／（Ｌ１＋Ｌ２））    ‥‥(3)
よって、
θＬi＝arctan（（ｈｉ＋φｅｎ／２）／（Ｌ１＋Ｌ２））    ‥‥(2a)
θｕi＝arctan（（ｈｉ−φｅｎ／２）／（Ｌ１＋Ｌ２））    ‥‥(3a)
となる。
【００４１】
ここで光路長とは、空気換算長であり、光路中に屈折率ｎで長さＤの光学部材が配置されているときの光路長は
Ｄ／ｎ
となる。
【００４２】
上記関係式(2a),(3a)からも分かるように第i番目の発光部１０１ａの主走査方向の位置ｈｉによって角度（θＬi、θｕi）が変わり、位置ｈｉが大きくなるほど、即ち端部の発光部１０１ａに行くほど角度（θＬi、θｕi）は大きくなる。
【００４３】
尚、以下、主走査方向に所定間隔で配置された複数の発光部(LED)のうち、光軸上（La)に位置する発光部(LED)を「主走査中央ＬＥＤ１０１ｃ」と称し、最も端部に配置された発光部(LED)を「主走査端部ＬＥＤ１０１ｓ」と称する。
【００４４】
また、角度θＬi、θｕiは、
θｕi＜θＬi
で、かつ
θＬi-1＜θＬi
となる。
【００４５】
このため、主走査中央ＬＥＤ１０１ｃから主走査端部ＬＥＤ１０１ｓまでの全ての光束を遮光するには、上述した如く第i番目の発光部に対応する遮光部１０３ａは、
θｕi＜θi＜θＬi    ‥‥(1)
なる条件を満足する角度θiの光束を遮光すれば良い。
【００４６】
ここで、遮光する光束の角度の一例を挙げて算出すると、一般に画像読取装置ではＡ３、Ａ４、レターサイズの読み取り装置が多く、主走査中央ＬＥＤ１０１ｃから主走査端部ＬＥＤ１０１ｓまでの長さは、
Ａ３サイズ時              ＝１４０mm〜１６０mm程度、
Ａ４サイズやレターサイズ時＝１００mm〜１３０mm程度
となる。
【００４７】
発光部１０１ａから原稿面１０５までの光路長Ｌ１はあまり遠ざけると光量損失が大きく、近すぎると光量ムラが発生しやすいため、光路長Ｌ１は
Ｌ１＝５〜２０mm程度
となる。また結像光学系１０７に広画角化が図られている場合は、光路長Ｌ２は
Ｌ２＝１５０〜２００mm程度
となり、入射瞳１０８の大きさφenは光路長Ｌ２に対して１桁となり充分小さいため、仮に
φen＝０
とした場合、条件式(1)を満足する角度θiの最大値θmaxは各パラメータの最大値及び最小値を採用することで求まる。これより、
θmax＝arctan（（160+0）/（5＋150））＝45.9度
となり、よって角度θiの最大値θmaxは
θmax＝４５．９度
となり、この４５．９度以下の光束を全て遮光すれば良い。
【００４８】
このような広画角の結像光学系の場合、全域で４５．９度以下を遮光すると光量の損失が大きいので、発光部１０１ａの位置に応じて角度θiを求めれば良い。これにより遮光部１０３ａの位置や大きさを変化させても同様の効果が得られつつ、光量の損失を少なくすることができる。
【００４９】
さらに上述した如く発光部１０１ａの１つに遮光部１０３ａを１つ設けることで、正反射光になりうる光束のみを遮光でき、有用な光束を遮光せずに済むため光量の損失を少なくすることができる。
【００５０】
また発光部１０１ａの正反射光の全域を遮光できず、一部の光束が通り抜けても、光量が少なく強度が弱ければ、問題とはならない。
【００５１】
上記一例で挙げたものほど広画角でない光路長（Ｌ２）３００mm以上の結像光学系であれば、角度θiはより小さくなり光量損失も少なく、複数の遮光部１０３ａを同一形状にしても問題とならない。
【００５２】
以下、図面を用いて本発明の各実施例１〜４を説明する。
【実施例１】
【００５３】
図４は本発明の実施例１の主走査方向の要部断面図（主走査断面図）である。同図において図３に示した要素と同一要素には同符番を付している。
【００５４】
同図において、４０３が遮光手段であり、主走査方向に所定間隔で配列された複数の遮光部４０３ａを有している。本実施例における各々の遮光部４０３ａは、それぞれ対応する発光部（ＬＥＤ）１０１ａから出射し、導光体１００の入射面１０２ａから入射し、出射面１０２ｂから直接出射した光束が結像光学系１０７の入射瞳１０８に入射しないように遮光している。
【００５５】
本実施例においてＬＥＤアレイ１０１から出射した光束は導光体１００の入射面１０２ａから入射し、該導光体１００の内部を通過し、出射面１０２ｂから出射して、不図示の原稿を照明する。
【００５６】
このとき本実施例では不図示の結像光学系の入射瞳に向かう上記条件式(1)を満たす角度θiの光束が遮光部４０３ａで遮光される。例えば主走査端部ＬＥＤ１０１ｓから出射した光束の場合、実線で示すように光束の一部は主走査端部ＬＥＤ１０１ｓに対応した遮光部１０３ａで遮光される。このとき光束が届かなくなった範囲RangeＡが生じる。しかしながら、この範囲RangeＡは点線や２点鎖線で示すように主走査端部ＬＥＤ１０１ｓ以外の別の発光部１０１ａから出射した光束が届くため、遮光により光束が届かなくなることはない。つまり、遮光による光量の低下の影響は全くない。
【００５７】
尚、本実施例における遮光部４０３ａは光束を遮る部材であればよく、黒いプラスチックを導光体１００に取り付けたり、２色成型などで同時に成型してもよい。
【００５８】
また遮光部４０３ａは入射面１０２ａの近傍に設けることで、隣接する発光部１０１ａからの光束をなるべく遮光しないようにすることができる。また遮光する光束の角度θiは結像光学系１０７の入射瞳径φenによって異なる。
【００５９】
次に本発明の実施例１の数値実施例を示す。
【００６０】
本実施例では結像光学系１０７の一例として原稿１０５から入射瞳１０８までの光路長Ｌ２を
Ｌ２＝３００mm
入射瞳径φenを
φen＝７mm
と設定する。
【００６１】
そして発光部１０１ａから原稿１０５までの光路長Ｌ１を
Ｌ１＝１０mm
光軸Ｌａから主走査端部ＬＥＤ１０１ｓまでの長さｈを
ｈ＝１００mm
と設定する。そのとき、主走査端部ＬＥＤ１０１ｓの面法線Ｓと上側光束ｕとの成す角度θｕ及び該面法線Ｓと下側光束Ｌとの成す角度θＬは
θｕ＝１７．３度
θＬ＝１８．５度
となる。
【００６２】
よって、
１７．３度＜θi＜１８．５度
なる条件を満足する角度θiの光束を遮光するように遮光部１０３ａを配置する。
【００６３】
あとは光軸Ｌａから第ｉ番目の発光部１０１ａまでの長さｈｉに応じておのおの角度θiが決まる。例えば主走査中央ＬＥＤ１０１ｃ（ｉ＝１）では、
θｕ１＝−０．７度
θＬ１＝  ０．７度
となる。
【００６４】
よって、
−０．７度＜θ１＜０．７度
なる条件を満足する角度θ１の光束を遮光するように遮光部１０３ａを配置する。
【００６５】
このように本実施例では上述した如く十分な光量を確保しつつ原稿が平面でない場合に正反射した光束がＣＣＤ面上に結像しないようにすることができ、これにより正反射した部分の画像情報が読み取れなくなってしまうことを防止することができる。
【００６６】
尚、本実施例では結像光学系をレンズより構成したが、これに限らず、例えばミラー等より成る反射光学系で構成しても良い。
【実施例２】
【００６７】
図５は本発明の実施例２の画像読取装置の主走査方向の要部断面図（主走査断面図）である。同図において図４に示した要素と同一要素には同符番を付している。
【００６８】
本実施例において、前述の実施例１と異なる点は、導光体１００の遮光手段５０３の遮光部５０３ａの形状を異ならせたことである。その他の構成及び光学的作用は実施例１と同様であり、これにより同様な効果を得ている。
【００６９】
つまり、図５において、５０３が遮光手段であり、主走査方向に所定間隔で配列された複数の遮光部５０３ａを有している。本実施例における複数の遮光部５０３ａはそれぞれ導光体内に設けた空隙部より成っている。
【００７０】
また、本実施例における各々の遮光部５０３ａは、それぞれ対応する発光部１０１ａから出射し、導光体１００の入射面１０２ａから入射し、出射面１０２ｂから直接出射した光束が不図示の結像光学系の入射瞳に入射しないように遮光している。
【００７１】
本実施例においてＬＥＤアレイ１０１から出射した光束は導光体１００の入射面１０２ａから入射し、該導光体１００の内部を通過し、出射面１０２ｂから出射して、不図示の原稿を照明する。
【００７２】
このとき本実施例では不図示の結像光学系の入射瞳に向かう上記条件式(1)を満たす角度θiの光束が遮光部５０３ａで全反射され、結像光学系の入射瞳に向かう角度とは異なる角度に偏向反射される。そして偏向反射された光束は主走査方向に広がり、結像光学系の入射瞳に入射しない光束として原稿を照明する光束となる。
【００７３】
本実施例における各々の遮光部５０３ａは、導光体１００中に空隙を設けることで得られた空気層であり、主走査端部ＬＥＤ１０１ｓから結像光学系の入射瞳に向かう角度θiの光束を全て遮光するような同一形状で構成されている。
【実施例３】
【００７４】
図６は本発明の実施例３の画像読取装置の主走査方向の要部断面図（主走査断面図）である。同図において図４に示した要素と同一要素には同符番を付している。
【００７５】
本実施例において、前述の実施例２と異なる点は、複数の遮光部６０３ａを該複数の遮光部６０３ａに対し、それぞれ位置、角度のうち、少なくとも１つが異なるように配置したことである。その他の構成及び光学的作用は実施例１と同様であり、これにより同様な効果を得ている。
【００７６】
つまり、図６において、６０３が遮光手段であり、主走査方向に所定間隔で配列された複数の遮光部６０３ａを有している。本実施例における複数の遮光部６０３ａは、前述の実施例２とは異なり、該複数の遮光部６０３ａに対し、それぞれ位置、角度のうち、少なくとも１つが異なるように配置している。
【００７７】
また、複数の遮光部６０３ａは、それぞれ対応する発光部１０１ａから出射し、導光体１００の入射面１０２ａから入射し、出射面１０２ｂから直接出射した光束が結像光学系１０７の入射瞳１０８に入射しないように遮光している。
【００７８】
本実施例においてＬＥＤアレイ１０１から出射した光束は導光体１００の入射面１０２ａから入射し、該導光体１００の内部を通過し、出射面１０２ｂから出射して、不図示の原稿を照明する。
【００７９】
このとき本実施例では不図示の結像光学系の入射瞳に向かう上記条件式(1)を満たす角度θiの光束が遮光部６０３ａで全反射され、結像光学系の入射瞳に向かう角度とは異なる角度に偏向反射される。そして偏向反射された光束は主走査方向に広がり、結像光学系の入射瞳に入射しない光束として原稿を照明する光束となる。
【００８０】
本実施例では遮光部６０３ａである空隙の形が前述した実施例２とは異なり、対応する発光部１０１ａの位置に応じて、形状や角度を変えている。これにより、結像光学系の入射瞳に向かわない有用な光束を全反射せず、照明可能にしている。
【実施例４】
【００８１】
図７は本発明の実施例４の画像読取装置の主走査方向の要部断面図（主走査断面図）である。同図において図４に示した要素と同一要素には同符番を付している。
【００８２】
本実施例において、前述の実施例２と異なる点は、遮光部７０３ａをミラー(反射面）より構成したことである。さらに遮光部７０３ａで偏向反射した光束を反射部７０５で全反射させたことである。その他の構成及び光学的作用は実施例１と同様であり、これにより同様な効果を得ている。
【００８３】
つまり、図７において、７０３は遮光手段であり、主走査方向に所定間隔で配列された複数の遮光部７０３ａを有している。本実施例における複数の遮光部７０３ａはそれぞれ導光体内に設けたミラー(反射面）より成っている。
【００８４】
また、本実施例における複数の遮光部７０３ａは、それぞれ対応する発光部１０１ａから出射し、導光体１００の入射面１０２ａから入射し、出射面１０２ｂから直接出射した光束が結像光学系１０７の入射瞳１０８に入射しないように遮光している。
【００８５】
７０５は反射手段であり、主走査方向に所定間隔で配列された複数の反射部７０５ａを有している。本実施例における複数の反射部７０５ａはそれぞれ導光体内に設けた空隙部より成っており、遮光部(反射面）７０３ａで反射された光束の一部を原稿側へ全反射している。
【００８６】
本実施例においてＬＥＤアレイ１０１から出射した光束は導光体１００の入射面１０２ａから入射し、該導光体１００の内部を通過し、出射面１０２ｂから出射して、不図示の原稿を照明する。
【００８７】
このとき本実施例では不図示の結像光学系の入射瞳に向かう上記条件式(1)を満たす角度θiの光束が遮光手段７０３の反射面７０３ａで偏向反射され、結像光学系の入射瞳に向かう角度とは異なる角度に偏向反射される。さらに反射面７０３ａで偏向反射した光束は反射手段７０５の反射部７０５ａで結像光学系の入射瞳に向かう角度とならないように出射面１０２ｂへ偏向反射している。これにより、本実施例では、より光量の損失を少なくしている。
【００８８】
本実施例における遮光部７０３ａは上述した如く反射面より成っている。この反射面７０３ａは導光体１００の空隙の面に反射膜を付加したり、アルミニウムのような反射物を取り付けたり、金属の反射物体と導光体１００を一体成型で作成してもよい。
【００８９】
以上、本発明の好ましい実施例について説明したが、本発明はこれらの実施例に限定されず、その要旨の範囲内で種々の変形及び変更が可能である。
【００９０】
尚、本発明の画像読取装置は、一体型（フラットベッド型）の画像読取装置や１：２走査光学系(ミラー方式）を有する画像読取装置等に適用することができる。
【図面の簡単な説明】
【００９１】
【図１】本発明の実施例に関わる導光体を主走査方向から見た要部断面図
【図２】従来の画像読取装置の要部断面図
【図３】本発明の実施例の画像読取装置を副走査方向に展開し、主走査方向から見た要部断面図
【図４】本発明の実施例１の主要部分の主走査断面図
【図５】本発明の実施例２の主要部分の主走査断面図
【図６】本発明の実施例３の主要部分の主走査断面図
【図７】本発明の実施例４の主要部分の主走査断面図
【図８】従来の画像読取装置の要部断面図
【符号の説明】
【００９２】
ＬＢ  照明手段
１００  導光体
１０１  光源手段（ＬＥＤアレイ）
１０１ａ  発光部（ＬＥＤ）
１０２ａ  入射面
１０２ｂ  出射面
１０３，４０３，５０３，６０３、７０３  遮光手段
１０３ａ，４０３ａ，５０３ａ，６０３ａ、７０３ａ  遮光部
７０５  反射手段
７０５ａ  反射部
１０４  原稿台
１０５  原稿
１０６  反射ミラー
１０７  結像光学系
１０８  入射瞳
１０９  読取手段
【図１】
2010177863.tif 000003
【図２】
2010177863.tif 000004
【図３】
2010177863.tif 000005
【図４】
2010177863.tif 000006
【図５】
2010177863.tif 000007
【図６】
2010177863.tif 000008
【図７】
2010177863.tif 000009
【図８】
2010177863.tif 000010